(57)【要約】本発明は、特に自動車用のオルタネータに関するものであり、該オルタネータは、円筒形の本体（１４）を備え、複数の相（Ｐ）を担持するステータ（１３）を具備し、各相は、一方では始点部（Ｅ１〜Ｅ３）と終点部を、他方では互いに接続された導電性エレメント（５０）を具備しており、該導電性エレメントは、相の始点部を相の終点部に接続し、始点部（Ｅ１〜Ｅ３）は、少なくとも一つの長手方向の平坦面（２１）を有するバーで構成され、各始点部は、ステータ（１３）の本体（１４）を通り抜ける第一セグメント（２５）と、この本体（１４）のアキシャル方向の側部から伸びている端部の第二セグメント（２６）を具備し、始点部（Ｅ１〜Ｅ３）の第二セグメント（２６）が互いに電気的に接続されていることで、中性点（５３）を形成するようになっている。本発明によると、始点部（Ｅ１〜Ｅ３）は捩られており、各始点部（Ｅ１〜Ｅ３）の平坦面（２１）はラジアル状の面において第一セグメント（２５）に沿って伸びており、そして端部の第二セグメント（２６）に沿って伸びることで、ステータ（１３）の本体（１４）との同心円筒の一部を形成するようになっており、あるいは、ステータ（１３）の本体（１４）との同心円筒に対するタンジェンシャル面において伸びるようになっている。
2005528075.tif 000002
【特許請求の範囲】
【請求項１】
円筒形の本体（１４）を備え、複数の相（Ｐ）を担持するステータ（１３）を具備する、特に自動車用のオルタネータであって、各相が、一方では、ステータ（１３）の本体（１４）の少なくとも外側の部分に設置された始点部（Ｅ１〜Ｅ１２）と終点部（Ｓ１〜Ｓ３）を具備し、他方では、ステータ（１３）の本体（１４）を通過する導電性エレメント（５０）を具備することで、第一と第二のヘアピース体（１２、１２’）である、該ステータの対向するアキシャル方向の二つの側部を形成するようになっており、導電性エレメント（５０）が電気的に互いに接続されることで、相の始点部を相の終点部に接続する少なくとも一つの巻線を構成するようになっており、始点部（Ｅ１〜Ｅ１２）は少なくとも一つの長手方向の平坦面（２１〜２４）を有するバーで構成され、該平坦面はバーの少なくとも一部に沿って伸びており、各始点部が、ステータ（１３）の本体（１４）を通過する第一セグメント（２５）と、この本体（１４）のアキシャル方向の側部から伸びている端部の第二セグメント（２６〜４０）を具備しており、始点部（Ｅ１〜Ｅ１２）の第二セグメント（２６〜４０）はステータ（１３）の本体（１４）のアキシャル方向の同一の側部に位置し、互いに電気的に接続されることで中性点（５３）を形成するようになっているオルタネータであって、始点部（Ｅ１〜Ｅ１２）は捩られ、各始点部（Ｅ１〜Ｅ１２）の平坦面（２１〜２４）が第一セグメント（２５）に沿って全体的にラジアル状の面において伸び、そして端部の第二セグメント（２６〜４０）に沿って伸びることで、ステータ（１３）の本体（１４）との同心円筒の一部分を形成するようになっているか、または、ステータ（１３）の本体（１４）との同心円筒に対するタンジェンシャル面において伸びていることを特徴とするオルタネータ。
【請求項２】
始点部（Ｅ１、Ｅ２、Ｅ３）の第二セグメント（２６、２７）が同一であることを特徴とする、請求項１に記載のオルタネータ。
【請求項３】
始点部（Ｅ１、Ｅ２、Ｅ３）の第二セグメント（２７）が円周方向の方向性をもった中性点バー（５４）によって電気的に接続され、始点部（Ｅ１、Ｅ２、Ｅ３）の第二セグメント（２７）が、それらの平坦面（２１）のそれぞれによってこの中性点バー（５４）に固定されることを特徴とする、請求項２に記載のオルタネータ。
【請求項４】
始点部（Ｅ１、Ｅ２、Ｅ３）の第二セグメント（２７）が円周方向の方向性をもち、それらのそれぞれの平坦面（２１）がステータ（１３）の本体（１４）との同心円筒の部分を形成することを特徴とする、請求項３に記載にオルタネータ。
【請求項５】
始点部（Ｅ１、Ｅ２、Ｅ３）の第二セグメント（２７）がアキシャル方向に沿って伸び、それらの平坦面（２１）がそれぞれ、中性点バー（５４）に対するタンジェンシャル面において伸びていることを特徴とする、請求項３に記載のオルタネータ。
【請求項６】
第一の始点部（Ｅ４）が、円周方向の方向性をもった、比較的長い第二セグメント（２８）を具備し、他の二つの始点部（Ｅ５、Ｅ６）が同一の長さの第二セグメント（３０、３１）を具備し、該セグメントが第一の始点部（Ｅ４）の第二セグメント（２８）の長さより比較的短く、第一の始点部（Ｅ４）の第二セグメント（２８）の平坦面（２２）がステータ（１３）の本体（１４）との同心円筒の一部分を形成し、他の二つの始点部（Ｅ５、Ｅ６）の第二セグメント（３０、３１）がそれらのそれぞれの平坦面（２２）によって、第一の始点部（Ｅ４）の第二セグメント（２８）の平坦面（２２）に固定されていることを特徴とする、請求項１に記載のオルタネータ。
【請求項７】
他の二つの始点部（Ｅ５、Ｅ６）の第二セグメントが円周方向の方向性をもち、同一方向で、時計回りあるいは反時計回りに伸びており、それらのそれぞれの平坦面（２２）がステータ（１３）の本体（１４）との同心円筒の部分を形成していることを特徴とする、請求項６に記載のオルタネータ。
【請求項８】
他の二つの始点部（Ｅ５、Ｅ６）の第二セグメント（３０、３１）が円周方向の方向性をもち、対向する方向、一方については時計回り、他方については反時計回りに伸びており、それらのそれぞれの平坦面（２２）がステータ（１３）の本体（１４）との同心円筒の部分を形成していることを特徴とする、請求項６に記載のオルタネータ。
【請求項９】
二つの始点部（Ｅ７、Ｅ８）がそれらのそれぞれの第二セグメント（３２、３３）によって統合されていることで、ヘアピン（５５）の二つの分枝を構成するようになっており、これら第二セグメント（３２、３３）がそれぞれ、円周方向の方向性をもち、これらの二つの第二セグメント（３２、３３）のそれぞれの平坦面（２３）が、互いの延長線上に配置され、ステータ（１３）の本体（１４）との同心円筒の一部分を形成し、第三の始点部（Ｅ９）がその第二セグメント（３４、３５）の平坦面（２３）によって前記円筒形部分に固定されることを特徴とする、請求項１に記載のオルタネータ。
【請求項１０】
始点部（Ｅ７、Ｅ８、Ｅ９）が、ロータ（１３）の本体（１４）の軸を中心に、角度の異なった位置に位置し、ヘアピン状に統合された二つの始点部（Ｅ７、Ｅ８）がステータ（１３）の本体（１４）の周辺部に沿って連続していることを特徴とする、請求項９に記載のオルタネータ。
【請求項１１】
始点部（Ｅ７、Ｅ８、Ｅ９）が、ロータ（１３）の本体（１４）の軸を中心に、角度の異なった位置に位置し、ヘアピン状に統合された二つの始点部（Ｅ７、Ｅ８）がステータ（１３）の本体（１４）の周辺部に沿って連続していないことを特徴とする、請求項９に記載のオルタネータ。
【請求項１２】
第三の始点部（Ｅ９）の第二セグメント（３４）が円周方向の方向性をもち、その平坦面（２３）がステータ（１３）の本体（１４）との同心円筒の一部分を形成することを特徴とする、請求項９〜請求項１１のいずれか一つに記載のオルタネータ。
【請求項１３】
第三の始点部（Ｅ９）の第二セグメント（３５）がアキシャル方向に沿って伸び、その平坦面（２３）が、ヘアピンを形成する二つの始点部（Ｅ７、Ｅ８）の統合された第二セグメント（３２、３３）に対するタンジェンシャル面で伸びていることを特徴とする、請求項９に記載のオルタネータ。
【請求項１４】
始点部（Ｅ１０、Ｅ１１、Ｅ１２）の第二セグメント（３６〜４０）が円周方向の方向性をもち、すべてがそれらの長さの少なくとも一部において平行に伸びていることを特徴とする、請求項１に記載のオルタネータ。
【請求項１５】
始点部（Ｅ１０、Ｅ１１、Ｅ１２）の第二セグメント（３６、３７、３８）がすべて同一方向で、時計回りあるいは反時計回りに伸びていることを特徴とする、請求項１４に記載のオルタネータ。
【請求項１６】
少なくとも二つの始点部（Ｅ１１、Ｅ１２）のそれぞれの第二セグメント（３９、４０）が、対向する方向、一方については時計回り、他方については反時計回りに伸びていることを特徴とする、請求項１４に記載のオルタネータ。
【請求項１７】
始点部（Ｅ１〜Ｅ１２）の少なくとも一つがアキシャル方向のセグメント（５６）を具備し、該セグメントがその第二セグメント（２６〜４０）を、ステータ（１３）の本体（１４）に対向する方向に延長させていることを特徴とする、請求項１に記載のオルタネータ。
【請求項１８】
始点部（Ｅ１〜Ｅ１２）の第二セグメント（２６〜４０）が、第一または第二のヘアピース体（１２、１２’）のアキシャル方向の端部に位置することを特徴とする、請求項１〜請求項１７のいずれか一つに記載のオルタネータ。
【発明の詳細な説明】
【技術分野】
【０００１】
本発明は全般的にオルタネータ、特に自動車用のオルタネータに関するものである。
【０００２】
より正確には、本発明は特に自動車用のオルタネータに関するものであり、該オルタネータは、円筒形本体を備え、複数の相を担持するステータを具備し、各相は、一方では、少なくともステータ本体の外側の部分に設置された始点部と終点部を具備し、他方では、ステータ本体を通過する導電性エレメントを具備することで、第一と第二のヘアピース体である、該ステータの対向するアキシャル方向の二つの側部を形成するようになっており、導電性エレメントが互いに電気的に接続されていることで、相の始点部を相の終点部に接続する、少なくとも一つの巻線を形成するようになっており、始点部が少なくとも一つの長手方向の平坦面を有するバーで構成され、該平坦面はバーの少なくとも一部に沿って伸びており、各始点部がステータ本体を通過する第一セグメントと、このステータ本体のアキシャル方向の側部から伸びている端部の第二セグメントを具備し、始点部の第二セグメントがステータ本体のアキシャル方向の同一の側部に位置し、互いに電気的に接続されていることで、中性点を形成するようになっている。
【背景技術】
【０００３】
このタイプの装置は先行技術で知られており、とりわけ、ＶＡＬＥＯの名義での仏国特許出願第０１１６６５８号で、仏国特許出願公開第２８１８８２２号の番号で公開されることになるもので知られており、該明細書は、さまざまな仕方で相の始点部を配置することによって中性点が実現可能なオルタネータを開示している。始点部は長方形の断面であるバーであり、したがって、「皿」と称される、比較的広い長手方向の対向する平坦面と、「小口」と称される、比較的狭い長手方向の対向する平坦面を有している。
【０００４】
ステータ本体は細いラジアル状のスロットを具備し、始点部のバーがこれらのスロットにはめ込まれることで、第一セグメントの皿がそれぞれ、僅かにラジアル状の面に伸びるようになっている。
【０００５】
始点部は、それらの第二セグメントがロータ本体との同心円筒の部分の形状を呈するように成形される。皿は、これら円筒形の部分のアキシャル面を構成し、小口は内側および外側のラジアル状の面を構成する。第二セグメントは、したがって、第一セグメントを横方向に、つまり、皿の一方または他方の側部から折り曲げさせることで得られる。
【０００６】
始点部は、それらの第二セグメントの皿によって互いに、あるいは中性点バーと接触している。中性点バーと始点部の第二セグメントは、したがって、アキシャル方向に積み重ねられている。
【０００７】
この配置は、導電性エレメントの折り曲げ後に、始点部を互いにあるいは中性点バーに溶接するのが非常に難しいという欠点があるのだが、これはなぜなら、溶接の頭部をアキシャル方向に導入するために使用可能な空間が十分にないからである。
【０００８】
欧州特許第１１４３５９６号明細書および米国特許第５，９９８，９０３号明細書は、三つの始点部が一つの中性点に接続されたステータを具備するオルタネータを開示している。第一の始点部はアキシャル方向の端部の第二セグメントを具備し、この第二セグメントの皿はラジアル状の面に伸びている。他の二つの始点部の第二セグメントは、仏国特許出願公開第０１１６６５８号明細書にあるように、ロータ本体との同心円筒の部分の形状を呈する。皿は円筒形のこれらの部分のアキシャル面を構成し、小口は内側および外側のラジアル状の面を構成する。円筒形のこれらの部分はそれぞれ、アキシャル方向の方向性をもった部分によって延長しており、これらアキシャル方向の部分は、皿によって第一の始点部の第二セグメントの対向する二つの皿に押しつけられている。
【０００９】
この配置により、ヘアピンの折り曲げ後に始点部を互いに溶接することが可能になるが、該配置は、始点部を担持するヘアピース体のアキシャル方向のかさばりを増加させるという欠点を有している。
【特許文献１】仏国特許出願公開第２８１８８２２号
【特許文献２】欧州特許第１１４３５９６号明細書
【特許文献３】米国特許第５，９９８，９０３号明細書
【発明の開示】
【発明が解決しようとする課題】
【００１０】
この背景において、本発明は上述した欠点を改善することと、アキシャル方向の方向性をもった部分に体系的に頼る必要なしに、ヘアピンの折り曲げ後に始点部を溶接できるようにする複数の配置を提案することを目的としている。
【課題を解決するための手段】
【００１１】
このために、本発明の装置は、以上の前文で示した一般的な定義に従っている一方で、主として、始点部が捩られ、各始点部の平坦面が、全体的にラジアル状の面において、第一セグメントに沿って伸びており、そして、端部の第二セグメントに沿って伸びていることでステータ本体との同心円筒の一部分を形成するようになっていること、もしくは、ステータ本体との同心円筒に対するタンジェンシャル面において伸びていることを特徴としている。
【００１２】
本発明の捩れにより、導電性エレメントの折り曲げ後に、容易かつ経済的に始点部を溶接でき、ヘアピース体のアキシャル方向のかさばりも減少する。
【００１３】
部品数を減少させるために、本発明の可能な実施態様では、始点部の第二セグメントは同一である。
【００１４】
好適には、始点部の第二セグメントは円周方向の方向性をもった中性点バーによって電気的に接続されており、始点部の第二セグメントは、それらの平坦面によってそれぞれこの中性点バーに固定されている。
【００１５】
好ましくは、始点部の第二セグメントは円周方向の方向性をもっており、それらの平坦面はそれぞれステータ本体との同心円筒の部分を形成している。
【００１６】
たとえば、始点部の第二セグメントはアキシャル方向に沿って伸び、それらの平坦面はそれぞれ、中性点バーに対するタンジェンシャル面において伸びている。
【００１７】
好適には、第一の始点部は円周方向の方向性を持った、比較的長い第二セグメントを具備し、他の二つの始点部は同じ長さの第二セグメントを具備しており、該第二セグメントは第一の始点部の第二セグメントの長さより比較的短く、第一の始点部の第二セグメントの平坦面は、ステータ本体との同心円筒の一部分を形成し、他の二つの始点部の第二セグメントは、それらの平坦面によってそれぞれ、第一の始点部の第二セグメントの平坦面に固定されている。
【００１８】
好ましくは、他の二つの始点部の第二セグメントは円周方向の方向性をもち、時計回りあるいは反時計回りである同一方向に伸びており、それらの平坦面はそれぞれ、ステータ本体との同心円筒の部分を形成している。
【００１９】
たとえば、他の二つの始点部の第二セグメントは円周方向の方向性をもち、対向する方向、一方については時計回り、他方については反時計回りに伸びており、それらの平坦面はそれぞれ、ステータ本体との同心円筒の部分を形成している。
【００２０】
好適には、二つの始点部がそれらの第二セグメントのそれぞれによって統合されることで、ヘアピンの二つの分枝を構成するようになっており、これら第二セグメントはそれぞれ円周方向の方向性をもっており、これら第二セグメントのそれぞれの平坦面は、互いの延長線上に配置され、ステータ本体との同心円筒の一部分を形成し、第三の始点部は、その第二セグメントの平坦面によって前記円筒形の部分に固定されている。
【００２１】
好ましくは、始点部はロータ本体の回転軸を中心に、角度の異なった位置に位置しており、ヘアピン状に統合された二つの始点部は、ステータ本体の周辺部に沿って連続している。
【００２２】
たとえば、始点部はロータ本体の回転軸を中心に、角度の異なった位置に位置しており、ヘアピン状に統合された二つの始点部は、ステータ本体の周辺部に沿って連続していない。
【００２３】
好適には、第三の始点部の第二セグメントは円周方向の方向性をもっており、その平坦面はステータ本体との同心円筒の一部分を形成している。
【００２４】
好ましくは、第三の始点部の第二セグメントはアキシャル方向に沿って伸びており、その平坦面は、ヘアピンを形成する二つの始点部の統合された第二セグメントに対するタンジェンシャル面に伸びている。
【００２５】
たとえば、始点部の第二セグメントは円周方向の方向性をもっており、すべてが、それらの長さの少なくとも一部において平行に伸びている。
【００２６】
好適には、始点部の第二セグメントはすべて同一方向で、時計回りあるいは反時計回りに伸びている。
【００２７】
好ましくは、少なくとも二つの始点部の第二セグメントはそれぞれ、対向する方向、一方については時計回り、他方については反時計回りに伸びている。
【００２８】
たとえば、始点部の少なくとも一つはアキシャル方向のセグメントを具備し、該セグメントはステータ本体に対向する方向において、その第二セグメントを延長させている。
【００２９】
好適には、始点部の第二セグメントは、第一あるいは第二のヘアピース体のアキシャル方向の端部に位置している。
【００３０】
本発明のその他の特徴および利点は、添付図面を参照しつつ以下に続けられる、例示的で、まったく制限的ではない説明によって明確に示されるものであり、該添付図面において、
−図１は、本発明によるオルタネータのアキシャル方向の半断面図であり、
−図２ａは、本発明の第一の実施態様による、図１のステータ本体の一部の平面図であり、図２ｂは、図２ａの矢印ＩＩｂにしたがった、ステータ本体の半分の断面図であり、図２ｃは図２ａの矢印ＩＩｃにしたがった側面図であり、
−図３は、本発明の第一の実施態様の変形例についての、図２ｂと同様な図であり、
−図４ａおよび図４ｂは、本発明の第一の実施態様のもう一つの変形例についての、図２ａおよび図２ｂと同様な図であり、
−図５は本発明の第一の実施態様のさらにもう一つの変形例についての、図２ｂと同様な図であり、
−図６ａおよび図６ｂは、本発明の第一の実施態様のさらにもう一つの変形例についての、図２ａおよび図２ｂと同様な図であり、
−図７は本発明の第一の実施態様のさらにもう一つの変形例についての、図２ａと同様な部分図であり、
−図８ａおよび図８ｂは、本発明の第二の実施態様についての、図２ａおよび図２ｂと同様な図であり、
−図９は、本発明の第二の実施態様の変形例についての、図８ｂと同様な図であり、
−図１０ａおよび図１０ｂは、本発明の第三の実施態様についての、図２ａおよび図２ｂと同様な図であり、
−図１１ａおよび図１１ｂは、本発明の第三の実施態様の変形例についての、図１０ａおよび図１０ｂと同様な図であり、
−図１２ａ、図１２ｂおよび図１２ｃは、本発明の第四の実施態様についての、図２ａ、図２ｂおよび図２ｃと同様な図であり、
−図１３は、本発明の第四の実施態様の変形例についての、図１２ｂと同様な図であり、そして、
−図１４ａおよび図１４ｂは、本発明の第四の実態態様のもう一つの変形例についての、図１２ａおよび図１２ｂと同様な図である。
【００３１】
図面において、同一または同様な構成要素には、同一の参照記号を付すものである。
【発明を実施するための最良の形態】
【００３２】
図１は、三相タイプである、内部送風の付いた小型オルタネータの形状を呈した、内燃機関式自動車用の多相回転電機を示している。
【００３３】
オルタネータは、図１の左から右へ向かって、つまり前から後ろへ向かって、駆動体のプーリ１を具備し、該プーリは、ここではナットを介して、シャフト２の前端部と連動しており、該シャフトの後端部は集電環（図示せず）を担持し、該集電環は集電子３に属している。シャフト２の軸は機械の回転軸に相当する。
【００３４】
中央では、シャフト２はロータ４を固定して担持しており、該ロータは励磁巻線５を備えており、該励磁巻線の端部は導線の接続によって集電子３に接続されている。
【００３５】
ロータ４は、ここでは爪付きのロータであり、したがって前方と後方の二つの磁極輪６、７を具備しており、該磁極輪はそれぞれ、前方送風ファン８と後方送風ファン９を担持することで、所与のアキシャル方向のかさばりにおいて、オルタネータの出力を高め、該オルタネータの出力の騒音を減らすようになっている。各磁極輪６、７はシャフト２に固定され、該シャフトはこのために、図１に見られるように、モーレット切りされた部分を備えている。各磁極輪はシャフト２の軸に直角なフランジを具備している。励磁巻線５は二つの磁極輪６、７のフランジの間にアキシャル方向に設置され、該磁極輪は、励磁巻線５の取り付け用の円筒形のコアの形成のために合致されている。フランジの外周部にはアキシャル方向に伸びる歯が設けられている。歯は台形の形状を有し、側面に面取り部を備えている。
【００３６】
磁極輪の一つの歯は他方の磁極輪に向けられ、この他方の磁極輪の歯に対して角度的にずれている。このように歯の重なりがあり、その結果、変形実施例において、永久磁石が二つの間に挟み込まれることで、機械の出力をさらに増加させるようになっている。たとえば、くっきりとした溝が歯の側縁部に設けられることで、仏国特許出願公開第２７４８２４８号明細書に記載されているように、永久磁石を受け入れるようになっている。励磁巻線５が機能しているとき、ロータ４は磁化され、したがって該ロータは磁極のペアによって規定され、各磁極輪はそのとき、それぞれＮ極Ｐ／２およびＳ極Ｐ／２を具備している。さらなる正確さのために、欧州特許出願公開第０５１５２５９号明細書を参照することもでき、磁極輪の歯が側面に、それらが定着している関係する磁極輪のフランジの部位に、それぞれ少なくとも一つの騒音防止の面取り部を有することで、とりわけ磁力によるオルタネータの騒音を、さらに減少させるようになっている。好適には、各歯は、軸対称の軸に対して二つの騒音防止の面取り部を有している。オルタネータは、したがって、あまり騒音を発生させない。
【００３７】
送風ファン８、９は、一列目の羽根または回転翼を具備しており、該羽根または回転翼は、そのあいだに送風の経路を設けている。好適には、仏国特許出願公開第２８１１１５６号明細書に記載されているように、羽根の長さの異なる二列が用意される。したがって、二列目の羽根の少なくとも一つの羽根は、一列目の羽根の、より長い連続する二つの羽根の間に挟み込まれる。この配置により、オルタネータの送風を改善しながら、該オルタネータの騒音を軽減させることができる。それらの羽根は、フランジ板の切断および折り曲げから作られて、該フランジ板は、たとえば溶接あるいは圧接のような他のあらゆる手段によって、関係する磁極輪６、７に固定されている。各磁極輪は、上述のように、他方の磁極輪に向けられたアキシャル方向の歯を有し、一方の磁極輪の歯から他方の磁極輪の歯への重なりがあることで、励磁巻線５が集電子３の集電環によって機能しているとき、磁極を形成するようになっており、各磁極輪はブラシ支持体１０によって担持されるブラシ（図示せず）と接触しており、該ブラシ支持体は、また、電圧レギュレータ（図示せず）の支持体の役割もはたし、該レギュレータは励磁巻線５の電圧を調整するためにブラシに電気的に接続されている。
【００３８】
レギュレータは、ダイオードのブリッジ（該ブリッジの二つが図１に見られる）のような、電流の整流装置１１に接続されており、該ブリッジ自体も、オルタネータのステータ１３が具備する、巻線を備えた相の終点部に接続されている。ブリッジはここでは、欧州特許出願公開０７４３７３８号明細書に記載されたタイプのブリッジであり、該明細書をさらなる正確さのために参照することができる。このブリッジは、したがって、ダイオードのアノードが取り付けられたアノードのヒートシンクと、ダイオードのカソードが取り付けられたカソードのヒートシンク、およびコネクタを具備している。ここでは、カソードのヒートシンクは、以下に説明するオルタネータの後部ブラケット１６のフランジによって構成される。変形例によっては、ブリッジは、２００１年７月１６日に出願された仏国特許第０１０９４８２号明細書に記載されたタイプのブリッジである。
【００３９】
この場合、アノードのヒートシンクは冷却用のアイレットを具備し、該アイレットはオルタネータのラジアル状の方向に伸びており、後部ブラケットによって担持されるダイオードのカソードは、対流と伝導によって冷却される。このタイプのブリッジは、本発明による高出力のオルタネータにうまく適用される。ステータ１３は電機子を形成し、ロータ４を取り囲み、そしてステータ本体１４を有しており、該ステータ本体は内部にアキシャル方向のスロット１４１を備えることで、巻線が具備する導線またはピンを通すようになっている。周知のように、ステータ本体１４はここでは、それぞれがスロットを有する鋼板片で構成されている。ラジアル状に細長い形状であるこれらのスロットは、鋼板が並べられ、ステータ本体１４の内周部に通じ、周知のように半分閉じているとき、溝を構成する。ステータ本体１４はロータ４を取り囲み、ステータ本体１４の内周部とロータ４の外周部にラジアル状のエアギャップを伴っている。
【００４０】
巻線は、ヘアピース体１２、１２’を形成するために配置され、該ヘアピース体は、一方では、ステータ本体１４の両側からアキシャル方向に突出して伸び、そして他方では、送風ファン８、９の上にラジアル状に伸びている。
【００４１】
これらの送風ファン８、９はそれぞれ、前部ブラケット１５および後部ブラケット１６の近傍に伸びている。ブラケット１５、１６は、ここではアルミニウムを主成分とした金属製である。これらのブラケットが周知のように脚を具備していることで、オルタネータを自動車の固定部に固定し、オルタネータをアースに電気接続するようになっている。ブラケット１５、１６は、送風ファン８、９を介するオルタネータ内部の送風のためにはとめを開けられているとき、送風ファン８、９−ロータ４−シャフト２のセットは、プーリ１によって回転駆動させられ、該プーリは、伝達装置によって自動車のエンジンに接続されており、該伝達装置は、プーリ１と接触している少なくとも一つのベルトを具備している。この送風により、ヘアピース体１２、１２’の巻線と励磁巻線５、ならびに電圧のレギュレータの付いたブラシ支持体１０および整流装置１１を冷却できるようになる。図１の矢印によって、冷却液、ここでは空気の流れる径路が示されており、ブラケット１５、１６のさまざまな開放部を通過し、機械の内部を通っている。各ブラケットは、したがって、中空の形状を有し、フランジ、ここでは横断方向の方向性をもったフランジをそれぞれ有しており、該フランジは、空気の入口と、フランジの外周部にアキシャル方向の方向性をもった環状の縁部を有しており、該縁部はヘアピース体１２、１２’の上に設置された空気の出口を備えている。
【００４２】
この装置１１、ブラシ支持体、並びに、はとめを開けられた（図示せず）、好ましくはプラスチック製である保護フードは、後部ブラケット１６によって固定して担持され、その結果、後部送風ファン９は、前部送風ファン８よりも出力が高くなっている。周知のように、ブラケット１５、１６は、ここではビス、あるいは、変形例によっては見えないロッドによって互いに接続されていることで、車両の固定部に取り付けられることになっている、ケーシングまたは支持体を形成するようになっている。この支持体がステータ本体１４を担持している。
【００４３】
ブラケット１５、１６がそれぞれ中央に、それらのフランジによって玉軸受１７、１８を担持することで、シャフト２の前端部および後端部を回転して支持するようになっており、該シャフトがブラケットを通過することで、プーリ１と集電子３の集電環を担持するようになっている。空気の入口はアキシャル方向の方向性をもった円筒形の芯によって画定され、該芯は関係する玉軸受の取り付けの収納部を形成している。
【００４４】
送風ファン８、９の羽根は、ブラケット１５、１６が有する、軸受１７および１８を取り付けるための収納部の上にラジアル状に伸びており、該軸受は、したがって、冷却される。変形例によっては、オルタネータは、自動車の内燃機関の冷却水のような冷却液によって冷却され、後部ブラケットは、たとえば独国特許出願公開第１００１９９１４号明細書に記載のような経路を具備しており、該明細書をさらなる正確さのために参照することができる。ステータはこの場合、伸縮性の材料、たとえばエラストマー製の緩衝材によってケーシングに取り付けられることで、振動を緩和し、騒音を減少させるようになっている。図１においてこれは同様であるが、直角の形状である断面をもった緩衝材は参照番号を付していない。
【００４５】
これらの緩衝材は、ブラケットのアキシャル方向の方向性をもった縁部の形状である、周縁部の自由端と、ステータ本体１４に向かい合ったアキシャル方向の端部の間に介在する。これらの緩衝材が、ラジアル状およびアキシャル方向の動作に対する緩衝用の伸縮性手段を構成することで、ステータ本体１４をブラケット１５、１６によって構成されるケーシングに対して機械的に分離するようになっている。変形例によっては、緩衝用の伸縮性手段はスロット１４１の部位で、スロットの縁と、以下に説明する導電性エレメントの間に介在しており、該導電性エレメントは、１９９９年１２月２３日に出願され、仏国特許出願公開第２８０３１２６号の番号で公開された、仏国特許出願第９９１６３６９号明細書に記載されているように、スロットに取り付けられている。
【００４６】
変形例によっては、伸縮性の変形可能な熱伝導性の樹脂が、２０００年１０月６日に出願された仏国特許出願第００１３５２７号明細書に記載のように、ステータ本体１４の外周部と、前部ブラケットのような、ブラケットのうちの一つの内周部との間にラジアル状に挿入される。この場合、ロータ４の励磁巻線５は、仏国特許出願公開第２８０９５４６号明細書に記載されているように、たとえば熱硬化可能なタイプの結合層で巻かれ、包まれた導電性エレメントで構成することができる。励磁巻線５はより多くの熱を発散し、該熱は熱伝導性の樹脂によって除去される。変形例によっては、ステータ本体１４はブラケットに直接取り付けられる。
【００４７】
変形例によっては、ロータは、２００１年１月５日に出願された仏国特許出願第０１００１２２号明細書に記載されているように、突出する極を具備しており、永久磁石は、ロータが具備する鋼板片に製作された収納部に受け入れられる。これらの収納部はロータの外周部に向かって開いており、磁石に対する歯止めに当たるようになっている磁性部品によってアキシャル方向に閉じている。
【００４８】
図２〜図１４において、オルタネータは少なくとも三相タイプであり、少なくとも三つの相を具備しており、それらの各相について、それぞれ始点部Ｅ１〜Ｅ１２と、終点部Ｓ１〜Ｓ３が付いている。ロータが励磁され、プーリ１を介して車両のエンジンによって回転駆動させられているとき、ステータ１３の各相が交流を発生させるので、各終点部は、周知のように整流装置１１に接続される。その理由は、車両の電気消費物に直流を給電し、該車両のバッテリーを充電するには、交流を整流しなければならないからである。各相は、スター結線つまりＹ字に結線され、その結果、周知のように、始点部は中性点に接続される。
【００４９】
オルタネータは六相とすることも可能であり、したがって、三相である一列目に加えて、二列目の三相も具備することができ、それらの各相について、それぞれ始点部と終点部がついている。これらの終点部は、たとえば上述した欧州特許出願公開第０７４３７３８号明細書に記載されているように、整流装置１１に前述のように接続されている。整流装置１１のコネクタは、終点部の固定用の脚を具備しており、該終点部は、導電性の網目の領域に属している。終点部を脚に固定することは、たとえば圧接または溶接によって行われる。
【００５０】
いずれの場合にも、オルタネータはステータ１３を具備しており、該ステータは複数の相を担持する円筒形の本体１４を備えている。ステータ本体１４は、その軸と平行にステータ本体を通過するスロット１４１を具備し、これらのスロット１４１はステータ本体１４の内面に抜け出て、ステータ本体１４の内周部に沿って規則的に配分されている。
【００５１】
上で述べたように、ここで説明される本発明の実施態様においては、ステータは少なくとも三つの相を具備する。各相は、一方では、ステータ１３の本体１４の少なくとも外側の部分に設置された始点部Ｅ１〜Ｅ１２と、終点部Ｓ１〜Ｓ３を具備し、他方では、ステータ１３の本体１４を通り抜ける導電性エレメント５０を具備することで、第一ヘアピース体１２と第二のヘアピース体１２’である、該ステータ本体のアキシャル方向の対向する二つの側部を形成するようになっている。
【００５２】
導電性エレメント５０が互いに電気的に接続されることで、相の始点部Ｅ１〜Ｅ１２を相の終点部に接続する、少なくとも一つの巻線を形成するようになっている。一般的に、一つの相につき一つの巻線がある。
【００５３】
これらの導電性エレメント５０はヘアピンであり、該ヘアピンはまっすぐで平行の、二つのアキシャル方向の分枝５１と頭部５２を具備し、該頭部は、アーチ状の形状を有し、対向する二つの端部によって、アキシャル方向の二つの分枝５１に接続されている。
【００５４】
同一の導電性エレメントのアキシャル方向の分枝５１は、ステータ１３の本体１４の異なったスロット１４１にはめ込まれており、一つの分枝５１はステータ本体１４の外部に向かって位置し、他方はステータ本体１４の内部に向かって位置する。また、アキシャル方向の各分枝５１は、対向する側部から頭部５２に、接続部分５１１によって延長されており、該接続部分は、他のヘアピン５０のアキシャル方向の分枝に属する接続部分に溶接されている。ここでは、分枝５１は断面に長方形の形状を有している。したがって、オルタネータが三相タイプであるとき、仏国特許出願公開第２８１８８２１号明細書の図５に見られるように、一つのスロット１４１につき二つのアキシャル方向の分枝５１が用意される。変形例によっては、仏国特許出願公開第２８１８８２１号明細書の図９に見られるように、一つのスロット１４１につき四つの分枝５１が用意され、各相は、この明細書の図７のように、スター結線つまりＹ字に結線される。分枝５１は、好適には、ここでは細長い形状でラジアル状の方向性をもっている各スロット１４１の中に、ラジアル状に積み重ねて取り付けられる。
【００５５】
ヘアピン５０のアーチ状の頭部５２は、ステータ１３の本体１４のアキシャル方向の同一の側部からすべて突出しており、第一のヘアピース体１２を形成する。該頭部は互いに平行であり、それぞれその中心にアキシャル方向の頂部５２１を有し、該頂部はステータ本体１４に対向する側部に位置している。これらのアキシャル方向の頂部５２１は、ステータ本体１４の軸を中心に円を描き、第一のヘアピース体１２のアキシャル方向の端部を構成する。
【００５６】
ヘアピン５０の接続部分５１１は、第一のヘアピース体１２に対向する、ステータ１３の本体１４のアキシャル方向の側部からすべて突出しており、第二のヘアピース体１２’を形成する。
【００５７】
始点部Ｅ１〜Ｅ１２はバーで構成され、該バーは、少なくとも一つの長手方向の平坦面２１〜２４を有し、該平坦面はバーの少なくとも一部に沿って、また一般的にはその全体にわたって伸びている。始点部Ｅ１〜Ｅ１２および終点部Ｓ１〜Ｓ３は、好適にはバー５１と同一の断面を有しており、ここではしたがって長方形の断面である。
【００５８】
より正確には、始点部Ｅ１〜Ｅ１２は、一般的に長方形の断面のバーであり、したがって「皿」と称される、比較的広い対向する二つの平坦面２１〜２４と、「小口」と称される、平らで対向する二つの狭い面２１’〜２４’を有しており、該小口は、平坦面２１〜２４より比較的狭くなっている。
【００５９】
各始点部Ｅ１〜Ｅ１２は、ステータ１３の本体１４を通過する第一セグメント２５と、このステータ本体１４のアキシャル方向の側部から伸びている端部の第二セグメント２６〜４０を具備しており、始点部Ｅ１〜Ｅ１２の第二セグメント２６〜４０は、ステータ１３の本体１４のアキシャル方向の同一の側部に位置し、互いに電気的に接続されていることで、中性点５３を形成するようになっている。
【００６０】
各始点部Ｅ１〜Ｅ１２は、また、第一と第二のセグメントを接続する第三セグメント４５と、第三セグメント４５に対向する側部から第一セグメント２５を延長させる第四セグメント４６を具備している。この第四セグメント４６は、中性点５３に対向するステータ１３の本体１４のアキシャル方向の側部から突出しており、前記始点部に結合された相の導電性エレメント５０に溶接されている。
【００６１】
本発明によると、始点部Ｅ１〜Ｅ１２は捩られており、各始点部の少なくとも一つの平坦面２１〜２４、一般的には二つは、ラジアル状の面において第一セグメント２５に沿って伸び、そして端部の第二セグメント２６〜４０に沿って伸びることで、ステータ１３の本体１４との同心円筒の一部分を形成するようになっており、あるいは、ステータ１３の本体１４との同心円筒に対するタンジェンシャル面において伸びるようになっている。
【００６２】
第一の場合、第二セグメントは円周方向の方向性をもっている。第二の場合、第二セグメントはアキシャル方向の方向性をもっている。
【００６３】
始点部Ｅ１〜Ｅ１２の第二セグメント２６〜４０は、両方の場合に、第一のヘアピース体１２あるいは第二のヘアピース体１２’のアキシャル方向の端部に位置している。図２〜図１４に示された実施態様において、これら第二セグメント２１〜２４は、より正確には、アーチ状の頭部５２の頂部５２１によって描かれた円に沿って伸びている。
【００６４】
平坦面２１〜２４の方向性の変化は、各始点部の第三セグメント４５に沿って漸進的に行われ、該第三セグメントは第一セグメント２５を第二セグメントに接続している。
【００６５】
始点部Ｅ１〜Ｅ１２の第一セグメント２５が導電性エレメント５０のアキシャル方向の分枝５１に正確に平行であること、そして第三セグメント４５がアーチ状の頭部５２の半分にほぼ平行であることに留意すべきである。
【００６６】
図２〜図７に示された本発明の第一の実施態様において、始点部Ｅ１〜Ｅ３の少なくとも第二セグメント２６の二つが同一である。
【００６７】
図２ａ〜図２ｃに示された第一の変形実施例において、三つの始点部Ｅ１〜Ｅ３の第二セグメント２６は円周方向の方向性であり、同一方向に伸びていて、該方向は図２ａでは時計回りの方向である。始点部Ｅ１およびＥ２の第二セグメント２６は、円周方向のほぼ同一の長さを有しており、該長さは、始点部Ｅ３の第二セグメント２６の長さを上回っている。
【００６８】
始点部Ｅ２は、ステータ本体１４の円周に沿って始点部Ｅ１とＥ３の間に配置され、始点部Ｅ１とＥ２は、始点部Ｅ２およびＥ３と同一の角度によるずれによって隔てられている。
【００６９】
始点部Ｅ１の第二セグメントは、始点部Ｅ２の第二セグメントより、ステータ本体１４のわずかに外側に位置しており、該始点部Ｅ２の第二セグメントそれ自体も、始点部Ｅ３の第二セグメントより、ステータ本体１４のわずかに外側に位置している。
【００７０】
第三セグメント４５の比較的近くにまた該セグメントに対向してそれぞれ位置する第二セグメント２６の部分を、前方部分ならびに端部２６１および２６２と呼ぶとき、図２ａにおいて、始点部Ｅ１の第二セグメント２６の端部２６２が、始点部Ｅ２の第二セグメント２６の前方部分２６１に沿って押しつけられていることに留意すべきである。同様に、始点部Ｅ２の第二セグメント２６の端部２６２は、始点部Ｅ３の第二セグメント２６の前方部分２６１に沿って押しつけられている。始点部Ｅ１およびＥ３の第二セグメントはつながっていない。
【００７１】
始点部Ｅ１〜Ｅ３の第二セグメントは、それらの比較的広いそれぞれの平坦面２１によって、互いに押しつけられている。
【００７２】
始点部Ｅ１の第二セグメント２６は、自由端２６３によって、始点部Ｅ２の第二セグメント２６に、該セグメントの比較的中央の点において溶接されている。
【００７３】
始点部Ｅ２の第二セグメント２６は、その自由端２６３によって、始点部Ｅ３の第二セグメント２６の自由端２６３に溶接されている。
【００７４】
このように、始点部Ｅ３の第二セグメント２６は、始点部Ｅ２との溶接点を超えて、時計回りの方向に延長することはない。
【００７５】
第二の変形例では、始点部Ｅ３の第二セグメント２６は、図３に見られるように、始点部Ｅ２との溶接点を超えて、時計回りの方向に延長している。
【００７６】
図３に示された、さらに第三の変形実施例において、始点部Ｅ２の第二セグメント２６は、第三セグメント４５に対向する側部のアキシャル方向のセグメント５６によっても、始点部Ｅ２との溶接点を超えて延長されており、このアキシャル方向のセグメント５６はステータ１３の本体１４に対向する方向に伸びている。これら三つの変形例において、三つの始点部と二つの溶接が必要となっている。変形例によっては、三つの溶接と補助的な中性点バーが必要となり、該中性点バーにより、始点部の円周方向の長さを減少できるようになっている。
【００７７】
たとえば、図４ａおよび図４ｂに示された第四の変形実施例においては、始点部Ｅ１〜Ｅ３の第二セグメント２７は、円周方向の方向性をもった中性点バー５４によって電気的に接続されており、始点部の第二セグメント２７は、それらの平坦面２１のそれぞれによって、この中性点バーに固定されている。
【００７８】
この中性点バー５４は、始点部Ｅ１〜Ｅ３の断面と同一の長方形の断面を有し、したがって、該中性点バーもまた、対向する二つの平坦面２１を具備している。
【００７９】
中性点バー５４は、それらの平坦面２１がステータ本体１４との同心円筒の部分を形成するように配置される。
【００８０】
始点部Ｅ１〜Ｅ３の第二セグメント２７もまた、円周方向の方向性であり、それらの平坦面２１は、それぞれ、ステータの本体との同心円筒の部分を形成しており、三つの始点部Ｅ１〜Ｅ３の第二セグメント２７は、中性点バー５４の最もラジアル状方向に内側の平坦面２１に沿って押しつけられている。
【００８１】
これら第二セグメント２７は、自由端２７１によって中性点バー５４に溶接されている。
【００８２】
始点部Ｅ１〜Ｅ３の第二セグメント２７はここでは、円周方向に同一の長さであり、したがって同一である。これは図４〜図７において同様である。
【００８３】
第二セグメント２７は、中性点バー５４に平行に、互いの延長線上に配置されているが、互いに触れることはない。中性点バー５４は、整列された三つの第二セグメント２７の各側部をほとんど超えることはない。
【００８４】
始点部Ｅ１、Ｅ２およびＥ３は、ステータ本体１４の軸を中心に一定の間隔をおいて配置されている。変形例によっては、少なくとも第二セグメント２７の一つは円周方向に異なった長さである。
【００８５】
第五の変形実施例は図５に示されている。該変形例は、中性点バー５４を除いて、あらゆる点で第四の変形実施例と同一であり、該中性点バーは、アキシャル方向の方向性をもったセグメント５６によってそれらの端部５４１の一つに向かって伸びており、該セグメントはステータ１３の本体１４に対向する方向に伸びている。
【００８６】
第六の変形実施例は、図６ａおよび図６ｂに示されている。該変形例は、始点部Ｅ１〜Ｅ３の第二セグメント２７が円周方向ではなく、アキシャル方向に沿って伸びていることを除いて、第五の変形実施例と同一であり、それらの平坦面２１はそれぞれ、中性点バー５４に対するタンジェンシャル面において伸びている。したがって、始点部の円周方向の長さは減少している。
【００８７】
始点部Ｅ１〜Ｅ３の第二セグメント２７は、それらのそれぞれの平坦面によって、中性点バー５４の平坦面２１に固定することができ、該中性点バーは、図６ａにあるように、ステータ本体１４の最も内側にラジアル状に位置しているか、あるいは、図７にあるように、ステータ本体１４の最も外側にラジアル状に位置している。
【００８８】
この第一の実施態様は、したがって、特に単純であるのだが、それはなぜなら、三つの始点部が同一タイプだからであり、該始点部は同一の円周方向に伸びており、始点部の一つがアキシャル方向のセグメントによって延長している変形例を除き、二つが少なくとも同一であるからである。したがって、作用させられる、さまざまな部品の数を制限することが可能であり、このことは実用的で経済的である。
【００８９】
本発明の第二の実施態様は、図８および図９に示されている。この態様では、二つの溶接部と円周方向の大きな長さをもった第一の始点部が必要とされる。したがって、第一の始点部Ｅ４は円周方向の方向性である比較的長い第二セグメント２８を具備し、他の二つの始点部Ｅ５およびＥ６は、同一の長さの第二セグメント２９を具備しており、該セグメントは、第一の始点部Ｅ４の第二セグメント２８の長さよりも比較的短い。
【００９０】
第一の始点部Ｅ４の第二セグメント２８の二つの平坦面２２は、ステータ１３の本体１４との同心円筒の部分を形成し、他の二つの始点部Ｅ５およびＥ６の第二セグメント２９は、それらのそれぞれの平坦面２２によって、第一の始点部Ｅ４の第二セグメント２８の二つの平坦面２２の一つに固定されている。
【００９１】
他の始点部Ｅ５およびＥ６は、ステータ本体１４の円周に沿って、第一の始点部Ｅ４の同一の側部に配置されており、第一の始点部Ｅ４の第二セグメント２８は、これらの始点部Ｅ５およびＥ６の方向に伸びている。
【００９２】
図８ａおよび図８ｂに示された第一の変形実施例では、他の二つの始点部、それぞれＥ５およびＥ６の第二セグメント３０および３１は、円周方向の方向性であり、対向する方向、一方に対しては時計回り、他方に対しては反時計回りに、ステータ１３の本体１４の周辺部に沿って伸びている。
【００９３】
他の二つの始点部Ｅ５およびＥ６の第二セグメント３０および３１のそれぞれの平坦面２２は、ステータ１３の本体１４との同心円筒の部分を形成している。これらの平坦面２２は、第一の始点部Ｅ４の第二セグメント２８の二つの平坦面２２の一つに平行に、それらの長さの全体にわたって、または少なくとも端部２２１の一部によって伸びており、第二セグメント２８の前記平坦面２２に対して押しつけられている。
【００９４】
他の二つの始点部Ｅ５およびＥ６の第二セグメント３０および３１は、各自由端３０１および３１１によって、第一の始点部Ｅ４の第二セグメント２８に溶接されている。
【００９５】
図示していない変形実施例は、始点部Ｅ５およびＥ６にそれぞれ属している第二セグメント３０および３１が同一方向に伸びていることを除いて、第一の変形例と同一である。この方向は、第一の始点部Ｅ４の第二セグメント２８が伸びる方向に同一の方向でも、また対向する方向でも等しくありうる。それらのそれぞれの平坦面２２は、このステータ本体１４との同心円筒の部分を形成している。
【００９６】
第三の変形例は、第一または第二の変形例と同一であるが、第一の始点部Ｅ４の第二セグメント２８は、アキシャル方向のセグメント５６によって延長しており、該セグメントは、ステータ本体１４に対向する方向に、第三セグメント４５に対向する第二セグメント２８の端部から伸びている。該変形例は図９に示されている。
【００９７】
言うまでもなく、溶接部の数を減少させ、始点部を単純化することが可能である。
【００９８】
たとえば、図１０および図１１に示された本発明の第三の実施態様においては、二つの始点部、Ｅ７およびＥ８が、それらのそれぞれの第二セグメント３２および３３によって統合されることで、ヘアピン５５の二つの分枝を構成するようになっている。
【００９９】
これら第二セグメント３２および３３は、それぞれ円周方向の方向性をもっており、対向する方向、一方は時計回り、他方は反時計回りに、ステータ本体１４の円周に沿って伸びている。それらのそれぞれの平坦面２３は、互いの延長線上に配置されている。これらの平坦面２３は共同で、ステータ１３の本体１４との同心円筒の連続する部分を形成し、その結果、始点部Ｅ７およびＥ８は単純化される。
【０１００】
第三の始点部Ｅ９は、その第二セグメント３４／３５の平坦面２３によって前記円筒形の部分に固定されており、該円筒形の部分は、始点部Ｅ７およびＥ８の第二セグメント３２および３３の平坦面２３によって形成されている。
【０１０１】
図１０ａおよび図１０ｂに示された第一の変形実施例では、始点部Ｅ７〜Ｅ９は、ステータ１３の本体１４の軸を中心に、異なった角度の位置に位置しており、ヘアピン状に統合された二つの始点部Ｅ７およびＥ８は、ステータの本体の周辺部に沿って連続している。始点部Ｅ９はここでは、統合された始点部Ｅ７およびＥ８よりも円周方向により長くなっている。
【０１０２】
第三の始点部Ｅ９の第二セグメント３４は円周方向の方向性をもっており、それらの対向する平坦面２３は、ステータ１３の本体１４との同心円筒の部分を形成している。
【０１０３】
この第二セグメント３４は端部３４１を具備し、該端部は、始点部Ｅ７およびＥ８の統合された第二セグメント３２および３３に平行に伸び、二つの平坦面２３の一つによって、統合された第二セグメント３２および３３の対向する二つの平坦面２３の一つに押しつけられている。
【０１０４】
第二セグメント３４の端部３４１は、統合された第二セグメント３２および３３の上の一点に、たとえば自由端３４２によって溶接されている。
【０１０５】
第二の変形実施例は図１１ａおよび図１１ｂに示されている。該変形例は、以下の点を除いて第一の変形例と同一である。
【０１０６】
まず、ヘアピン状に統合された二つの始点部Ｅ７およびＥ８が、ステータ１３の本体１４の周辺部に沿って連続していないことに留意すべきである。第三の始点部Ｅ９は、始点部Ｅ７とＥ８の間に挿入されている。
【０１０７】
また、第三の始点部Ｅ９の第二セグメント３５がアキシャル方向に沿って伸びており、それらの対向する平坦面２３の一つが、ヘアピンを形成する二つの始点部Ｅ７およびＥ８の統合された第二セグメント３２および３３に対するタンジェンシャル面において伸びていることにも注目すべきである。
【０１０８】
この第二セグメント３５は、統合された第二セグメント３２および３３の上の一点に、たとえば自由端３５１によって溶接されている。
【０１０９】
第三の変形例は、第一または第二の変形例と同一だが、第三の始点部Ｅ９の第二セグメント３４／３５はアキシャル方向のセグメント５６によって延長しており、該セグメントは、ステータ本体１４に対向する方向に、第三セグメント４５に対向する第二セグメント３４／３５の端部から伸びている。
【０１１０】
第一および第二の変形例の特徴は、本発明を逸脱せずに組み合わせることができることに注意すべきである。したがって、連続する始点部Ｅ７およびＥ８を、第二セグメントがアキシャル方向の方向性をもっている第三の始点部Ｅ９と結合することもできる。同様に、連続していない始点部Ｅ７およびＥ８を、その第二セグメントが円周方向の方向性をもっている第三の始点部Ｅ９と結合することもできる。
【０１１１】
図１２〜図１４に図示された本発明の第四の実施態様では、始点部Ｅ１０〜Ｅ１２の第二セグメント３６〜４０は、円周方向の方向性をもっており、すべてがそれらの長さの少なくとも一部において平行に伸びている。この実施態様において、三つの始点部について一つの溶接点しかない。
【０１１２】
図１２ａ、図１２ｂおよび図１２ｃに示された第一の変形実施例では、始点部Ｅ１０〜Ｅ１２にそれぞれ属している第二セグメント３６〜３８は、すべて同一方向、たとえば時計回りに、図１２ａに示されたステータ１３の本体１４の円周に沿って伸びている。
【０１１３】
始点部Ｅ１０〜Ｅ１２は、ステータ本体１４の軸を中心に異なった角度の位置に位置しており、図１２ａのステータ本体１４の円周を時計回りに辿ったとき、Ｅ１０はＥ１１に先行し、Ｅ１１自体もＥ１２に先行している。
【０１１４】
第二セグメント３６の長さは第二セグメント３７の長さを上回り、該セグメント３７自体も第二セグメント３８の長さを上回っており、これら三つのセグメントのそれぞれの自由端３６１、３７１および３８１は同一点に達している。
【０１１５】
第二セグメント３６〜３８のそれぞれの平坦面２４は、ステータ１３の本体１４との同心円筒の部分を形成している。
【０１１６】
始点部Ｅ１２の第二セグメント３８は、その長さ全体にわたり、その平坦面２４の一つによって、始点部Ｅ１１の第二セグメント３７の平坦面２４の一つに押しつけられている。
【０１１７】
同様に、始点部Ｅ１１の第二セグメント３７は、その長さ全体にわたり、第二セグメント３８に対向するその平坦面２４によって、始点部Ｅ１０の第二セグメント３６の平坦面２４の一つに押しつけられている。
【０１１８】
第二セグメント３６〜３８の自由端３６１〜３８１は一緒に溶接されている。
【０１１９】
図１４ａおよび図１４ｂに示された第二の変形実施例では、始点部Ｅ１０〜Ｅ１２の少なくとも二つのそれぞれの第二セグメントは、対向する方向、たとえば始点部Ｅ１０およびＥ１１の第二セグメント３６および３９については時計回り、そして始点部Ｅ１２の第二セグメント４０については反時計回りに、図１４ａに示されたステータ本体１４の円周に沿って伸びている。
【０１２０】
始点部Ｅ１０〜Ｅ１２は、ステータ本体１４の軸を中心に異なった角度の位置に位置しており、図１４ａのステータ本体１４の円周を辿ったとき、Ｅ１０はＥ１１に先行し、Ｅ１１自体もＥ１２に先行している。
【０１２１】
始点部Ｅ１０の第二セグメント３６の長さは、始点部Ｅ１１の第二セグメント３９の長さを上回る。三つのセグメント３６、３９および４０のそれぞれの自由端３６１、３９１および４０１は同一点に達している。
【０１２２】
第二セグメント３６、３９および４０のそれぞれの平坦面２４は、ステータ１３の本体１４との同心円筒の部分を形成する。
【０１２３】
始点部Ｅ１１の第二セグメント３９は、その長さ全体にわたり、その平坦面２４の一つによって、始点部Ｅ１０の第二セグメント３６の平坦面２４の一つに押しつけられている。
【０１２４】
逆に、始点部Ｅ１２の第二セグメント４０は、その自由端４０１の面２４によってのみ、第二セグメント３９に対向する始点部Ｅ１０の第二セグメント３６の平坦面２４に押しつけられている。
【０１２５】
第二セグメント３６、３９および４０の自由端３６１、３９１および４０１は一緒に溶接されている。
【０１２６】
第三の変形実施例は、始点部Ｅ１０の第二セグメント３６がアキシャル方向のセグメント５６によって延長していることを除き、あらゆる点で第一または第二の変形実施例と同一であり、該セグメントは、ステータ本体１４に対向する方向に、第三セグメント４５に対向する第二セグメント３６の端部から伸びている。この第三の変形例の実施例は図１３に示されている。
【０１２７】
したがって、以上に述べた本発明のさまざまな実施態様により、三つの始点部の第二セグメントをそれぞれに容易に溶接できるようになり、溶接の頭部がステータの本体に対してラジアル状に位置づけられることがよく理解できる。実際、ここでは比較的広い第二セグメントの平坦面、つまり皿は、常にステータの円筒形の本体に対してラジアル状の方向に直角な面において伸びている。
【０１２８】
本発明は、三相のステータへの適用において説明されたが、六相またはさらに多くの相を具備するステータにも適用することができる。
【０１２９】
始点部は、各始点部が少なくとも一つの長手方向の平坦面を有していれば、長方形ではない断面を有することができる。
【０１３０】
中性点が、実施態様および変形実施例に応じて１から３である、少ない数の溶接を行うことで構成されることに留意すべきである。
【０１３１】
以上示された各図において、例えば２００１年１０月１９日に出願された仏国特許出願公開第２８１９１１７号明細書の図３および図４に見られるように、電気的な角度で３０°ずらされた、アキシャル方向のスロット１４１と三相の巻線の二列による、四つの導電性エレメントが実現想定できる。ヘアピンの頭部は、例えば、その明細書の図７、図１５および図１６にあるように、アキシャル方向の分枝を接続しており、該明細書をさらなる正確さのために参照されたい。導電性のスロットにおいて、第一セグメント２５は、それらの比較的広い平坦面によって、スロットの全体的にラジアル状の縁部と接触している。変形例によっては、スロット１４１は傾いており、その結果、あらゆる場合において、各始点部の平坦面は、全体的にラジアル状の面において第一セグメントに沿って伸びている。変形例によっては、たとえば米国特許第５，０９７，１６７号明細書に記載されているように、スロットは用意されないのだが、該明細書をさらなる正確さのために参照されたい。したがって、ヘアピース体の端部の部位に、樹脂製の絶縁プレートと構成要素が用意される。第一セグメント２５はあらゆる場合において、ステータの本体を通過している。
【図面の簡単な説明】
【０１３２】
【図１】本発明によるオルタネータのアキシャル方向の半断面図である。
【図２ａ】本発明の第一の実施態様による、図１のステータ本体の一部の平面図である。
【図２ｂ】図２ａの矢印ＩＩｂにしたがった、ステータ本体の半分の断面図である。
【図２ｃ】図２ａの矢印ＩＩｃにしたがった側面図である。
【図３】本発明の第一の実施態様の変形例についての、図２ｂと同様な図である。
【図４ａ】本発明の第一の実施態様のもう一つの変形例についての、図２ａと同様な図である。
【図４ｂ】本発明の第一の実施態様のもう一つの変形例についての、図２ｂと同様な図である。
【図５】本発明の第一の実施態様のさらにもう一つの変形例についての、図２ｂと同様な図である。
【図６ａ】本発明の第一の実施態様のさらにもう一つの変形例についての、図２ａと同様な図である。
【図６ｂ】本発明の第一の実施態様のさらにもう一つの変形例についての、図２ｂと同様な図である。
【図７】本発明の第一の実施態様のさらにもう一つの変形例についての、図２ａと同様な部分図である。
【図８ａ】本発明の第二の実施態様についての、図２ａと同様な図である。
【図８ｂ】本発明の第二の実施態様についての、図２ｂと同様な図である。
【図９】本発明の第二の実施態様の変形例についての、図８ｂと同様な図である。
【図１０ａ】本発明の第三の実施態様についての、図２ａと同様な図である。
【図１０ｂ】本発明の第三の実施態様についての、図２ｂと同様な図である。
【図１１ａ】本発明の第三の実施態様の変形例についての、図１０ａと同様な図である。
【図１１ｂ】本発明の第三の実施態様の変形例についての、図１０ｂと同様な図である。
【図１２ａ】本発明の第四の実施態様についての、図２ａと同様な図である。
【図１２ｂ】本発明の第四の実施態様についての、図２ｂと同様な図である。
【図１２ｃ】本発明の第四の実施態様についての、図２ｃと同様な図である。
【図１３】本発明の第四の実施態様の変形例についての、図１２ｂと同様な図である。
【図１４ａ】本発明の第四の実態態様のもう一つの変形例についての、図１２ａと同様な図である。
【図１４ｂ】本発明の第四の実態態様のもう一つの変形例についての、図１２ｂと同様な図である。
【符号の説明】
【０１３３】
２  シャフト
３  集電子
４  ロータ
５  励磁巻線
６、７  磁極輪
８、９  送風ファン
１２、１２’  ヘアピース体
１３  ステータ
１４  本体、  ステータ本体
１５、１６  ブラケット
１７、１８  軸受
２１〜２４  平坦面
２５  第１セグメント
２６〜４０  第２セグメント
５０  導電性エレメント  ヘアピン
５３  中性点
５４  中性点バー
１４１  スロット
Ｅ１〜Ｅ１２  始点部
Ｓ１、Ｓ２、Ｓ３  終点部
【図１】
2005528075.tif 000003
2005528075.tif 000004
2005528075.tif 000005
【図３】
2005528075.tif 000006
2005528075.tif 000007
【図５】
2005528075.tif 000008
【図７】
2005528075.tif 000009
2005528075.tif 000010
2005528075.tif 000011
【図９】
2005528075.tif 000012
2005528075.tif 000013
2005528075.tif 000014
2005528075.tif 000015
2005528075.tif 000016
【図１３】
2005528075.tif 000017
2005528075.tif 000018
【国際調査報告】
2005528075.tif 000019
2005528075.tif 000020
2005528075.tif 000021
2005528075.tif 000022
2005528075.tif 000023
2005528075.tif 000024
2005528075.tif 000025
2005528075.tif 000026
2005528075.tif 000027
2005528075.tif 000028